(57)【特許請求の範囲】
【請求項１】
コンポーネント輝度信号とコンポーネントＢ−Ｙ信号とコンポーネントＲ−Ｙ信号を入力するための３個の端子を持つ第一のコンポーネントビデオ信号入力端子と、コンポジットビデオ信号を入力するための第一のコンポジットビデオ信号入力端子と、前記第一のコンポジットビデオ信号入力端子のコンポジットビデオ信号を輝度信号とＢ−Ｙ信号とＲ−Ｙ信号に変換し前記第一のコンポーネントビデオ信号入力端子のコンポーネントビデオ信号と切り換えて出力する第一の信号種類切換手段と、前記第一の信号種類切換手段を制御する第一の信号種類切換制御手段と、前記第一の信号種類切換手段より出力される信号を記録媒体に記録する第一の記録手段と、コンポーネント輝度信号とコンポーネントＢ−Ｙ信号とコンポーネントＲ−Ｙ信号を入力するための３個の端子を持つ第二のコンポーネントビデオ信号入力端子と、コンポジットビデオ信号を入力するための第二のコンポジットビデオ信号入力端子と、前記第一のコンポーネントビデオ信号入力端子に入力された信号と前記第二のコンポーネントビデオ信号入力端子に入力された信号のいずれかを選択して出力するコンポーネント入力切換手段と、前記第一のコンポジットビデオ信号入力端子に入力された信号と前記第二のコンポジットビデオ信号入力端子に入力された信号のいずれかを選択して出力するコンポジット入力切換手段と、前記コンポジット入力切換手段の出力するコンポジットビデオ信号を輝度信号とＢ−Ｙ信号とＲ−Ｙ信号に変換し前記コンポーネント入力切換手段の出力するコンポーネントビデオ信号と切り換えて出力する第二の信号種類切換手段と、第二の信号種類切換手段を制御する第二の信号種類切換制御手段と、前記第一の信号種類切換制御手段の出力と前記第二の信号種類切換制御手段の出力を切換えて第二の信号種類切換手段に出力する切換手段と、前記コンポーネント入力切換手段と前記コンポジット入力切換手段と前記切換手段を制御する入力切換制御手段と、前記第二の信号種類切換手段より出力される信号を記録媒体に記録する第二の記録手段とを有する映像信号記録装置。
【発明の詳細な説明】
【０００１】
【発明の属する技術分野】
本発明は、コンポーネントビデオ信号とコンポジットビデオ信号とＹＣビデオ信号の中で少なくとも一種類以上のビデオ信号をそれぞれ入力可能な、複数の独立したビデオ信号記録回路を持った映像信号記録装置に関する。
【０００２】
【従来の技術】
従来、編集を手軽に行える様に、２個の独立したビデオ信号記録再生回路を持った映像信号記録再生装置がある。
また、記録回路が２個あるため同一の信号をそれぞれの記録回路のビデオ信号入力端子に入力して２個の記録媒体に記録するバックアップ記録にも使用されている。
【０００３】
以下、従来の映像信号記録装置について、図面を参照しながら説明する。
図２は従来の映像信号記録装置のブロックを示しており、１は、コンポーネント輝度信号とコンポーネントＢ−Ｙ信号とコンポーネントＲ−Ｙ信号を入力するための３個の端子を持つ第一のコンポーネントビデオ信号入力端子、２はコンポジットビデオ信号を入力するための第一のコンポジットビデオ信号入力端子、３は第一のコンポジットビデオ信号入力端子２のコンポジットビデオ信号を輝度信号とＢ−Ｙ信号とＲ−Ｙ信号に変換し第一のコンポーネントビデオ信号入力端子１のコンポーネントビデオ信号と切り換えて出力する第一の信号種類切換回路、４は第一の信号種類切換回路３より出力されるビデオ信号を記録媒体に記録するための第一のビデオ信号記録回路、５は第一の信号種類切換回路３を制御して第一のビデオ信号記録回路４に入力するビデオ信号を切り換えるための第一の信号種類切換制御回路、６は、コンポーネント輝度信号とコンポーネントＢ−Ｙ信号とコンポーネントＲ−Ｙ信号を入力するための３個の端子を持つ第二のコンポーネントビデオ信号入力端子、７はコンポジットビデオ信号を入力するための第二のコンポジットビデオ信号入力端子、１０は第二のコンポジットビデオ信号入力端子７のコンポジットビデオ信号を輝度信号とＢ−Ｙ信号とＲ−Ｙ信号に変換し第二のコンポーネントビデオ信号入力端子６のコンポーネントビデオ信号と切り換えて出力する第二の信号種類切換回路、１１は第二の信号種類切換回路１０より出力されるビデオ信号を記録媒体に記録するための第二のビデオ信号記録回路、１３は第二の信号種類切換回路１０を制御して第二のビデオ信号記録回路１１に入力するビデオ信号を切り換えるための第二の信号種類切換制御回路で構成されている。
【０００４】
次に図２を用いて従来の映像信号記録装置の動作について説明する。
第一のコンポーネントビデオ信号入力端子１に入力されたコンポーネントビデオ信号を記録する時は、第一の信号種類切換制御回路５を操作して第一の信号種類切換回路３が、第一のコンポーネントビデオ信号入力端子１のコンポーネントビデオ信号を第一のビデオ信号記録回路４に入力するようにすることで記録媒体に記録される。
【０００５】
また、第一のコンポジットビデオ信号入力端子２に入力されたコンポジットビデオ信号を記録するときは、第一の信号種類切換制御回路５を操作して第一の信号種類切換回路３が、第一のコンポジットビデオ信号入力端子２のコンポジットビデオ信号を輝度信号とＢ−Ｙ信号とＲ−Ｙ信号に変換し第一のビデオ信号記録回路４に入力するようにすることで記録媒体に記録される。
【０００６】
さらに、第二のコンポーネントビデオ信号入力端子６に入力されたコンポーネントビデオ信号を記録する時は、第二の信号種類切換制御回路１３を操作して第二の信号種類切換回路１０が、第二のコンポーネントビデオ信号入力端子６のコンポーネントビデオ信号を第二のビデオ信号記録回路１１に入力するようにすることで記録媒体に記録される。
【０００７】
また、第二のコンポジットビデオ信号入力端子７に入力されたコンポジットビデオ信号を記録するときは、第二の信号種類切換制御回路１３を操作して第二の信号種類切換回路１０が、第二のコンポジットビデオ信号入力端子７のコンポジットビデオ信号を輝度信号とＢ−Ｙ信号とＲ−Ｙ信号に変換し第二のビデオ信号記録回路１１に入力するようにすることで記録媒体に記録される。
【０００８】
【発明が解決しようとする課題】
しかしながら、上記の従来の映像信号記録装置では、同一のビデオ信号を同時に２個の記録媒体に記録しようとすると、記録しようとするビデオ信号を、ビデオ信号分配器等をもちいてそれぞれのビデオ信号記録回路の入力端子に入力する必要がある。たとえば、コンポーネントビデオ信号の場合、ビデオ信号分配器を通して２つの入力端子１，６に入力する。そして、それぞれの信号種類切換制御回路を、記録するビデオ信号の信号種類に切り換える操作が必要となる。このため、ビデオ信号を分配するビデオ信号分配器と、さらにビデオ信号分配器とそれぞれのビデオ信号記録回路の入力端子を接続するケーブルが必要である。また、それぞれの信号種類切換制御回路を、記録するビデオ信号の信号種類に切り換える操作が必要であり、操作を誤ると記録しようとしているビデオ信号が記録されないという問題があった。
【０００９】
近年では、簡単で、誰でも間違いなく、且つシンプルなシステムで操作できる映像信号記録装置が求められている。
本発明は、外部にビデオ信号分配器等の装置が必要なく、簡単な操作でバックアップ記録のできる映像信号記録装置を提供することを目的とする。
【００１０】
【課題を解決するための手段】
この課題を解決するために本発明は、コンポーネント輝度信号とコンポーネントＢ−Ｙ信号とコンポーネントＲ−Ｙ信号を入力するための３個の端子を持つ第一のコンポーネントビデオ信号入力端子と、コンポジットビデオ信号を入力するための第一のコンポジットビデオ信号入力端子と、前記第一のコンポジットビデオ信号入力端子のコンポジットビデオ信号を輝度信号とＢ−Ｙ信号とＲ−Ｙ信号に変換し前記第一のコンポーネントビデオ信号入力端子のコンポーネントビデオ信号と切り換えて出力する第一の信号種類切換手段と、前記第一の信号種類切換手段を制御する第一の信号種類切換制御手段と、前記第一の信号種類切換手段より出力される信号を記録媒体に記録する第一の記録手段と、コンポーネント輝度信号とコンポーネントＢ−Ｙ信号とコンポーネントＲ−Ｙ信号を入力するための３個の端子を持つ第二のコンポーネントビデオ信号入力端子と、コンポジットビデオ信号を入力するための第二のコンポジットビデオ信号入力端子と、前記第一のコンポーネントビデオ信号入力端子に入力された信号と前記第二のコンポーネントビデオ信号入力端子に入力された信号のいずれかを選択して出力するコンポーネント入力切換手段と、前記第一のコンポジットビデオ信号入力端子に入力された信号と前記第二のコンポジットビデオ信号入力端子に入力された信号のいずれかを選択して出力するコンポジット入力切換手段と、前記コンポジット入力切換手段の出力するコンポジットビデオ信号を輝度信号とＢ−Ｙ信号とＲ−Ｙ信号に変換し前記コンポーネント入力切換手段の出力するコンポーネントビデオ信号と切り換えて出力する第二の信号種類切換手段と、第二の信号種類切換手段を制御する第二の信号種類切換制御手段と、前記第一の信号種類切換制御手段の出力と前記第二の信号種類切換制御手段の出力を切換えて第二の信号種類切換手段に出力する切換手段と、前記コンポーネント入力切換手段と前記コンポジット入力切換手段と前記切換手段を制御する入力切換制御手段と、前記第二の信号種類切換手段より出力される信号を記録媒体に記録する第二の記録手段とを有するように構成したものである。
【００１１】
これにより、外部にビデオ信号分配器等の装置が必要なく、簡単な操作でバックアップ記録ができる。
【００１５】
【発明の実施の形態】
本発明の請求項１に記載の発明は、コンポーネント輝度信号とコンポーネントＢ−Ｙ信号とコンポーネントＲ−Ｙ信号を入力するための３個の端子を持つ第一のコンポーネントビデオ信号入力端子と、コンポジットビデオ信号を入力するための第一のコンポジットビデオ信号入力端子と、前記第一のコンポジットビデオ信号入力端子のコンポジットビデオ信号を輝度信号とＢ−Ｙ信号とＲ−Ｙ信号に変換し前記第一のコンポーネントビデオ信号入力端子のコンポーネントビデオ信号と切り換えて出力する第一の信号種類切換手段と、前記第一の信号種類切換手段を制御する第一の信号種類切換制御手段と、前記第一の信号種類切換手段より出力される信号を記録媒体に記録する第一の記録手段と、コンポーネント輝度信号とコンポーネントＢ−Ｙ信号とコンポーネントＲ−Ｙ信号を入力するための３個の端子を持つ第二のコンポーネントビデオ信号入力端子と、コンポジットビデオ信号を入力するための第二のコンポジットビデオ信号入力端子と、前記第一のコンポーネントビデオ信号入力端子に入力された信号と前記第二のコンポーネントビデオ信号入力端子に入力された信号のいずれかを選択して出力するコンポーネント入力切換手段と、前記第一のコンポジットビデオ信号入力端子に入力された信号と前記第二のコンポジットビデオ信号入力端子に入力された信号のいずれかを選択して出力するコンポジット入力切換手段と、前記コンポジット入力切換手段の出力するコンポジットビデオ信号を輝度信号とＢ−Ｙ信号とＲ−Ｙ信号に変換し前記コンポーネント入力切換手段の出力するコンポーネントビデオ信号と切り換えて出力する第二の信号種類切換手段と、第二の信号種類切換手段を制御する第二の信号種類切換制御手段と、前記第一の信号種類切換制御手段の出力と前記第二の信号種類切換制御手段の出力を切換えて第二の信号種類切換手段に出力する切換手段と、前記コンポーネント入力切換手段と前記コンポジット入力切換手段と前記切換手段を制御する入力切換制御手段と、前記第二の信号種類切換手段より出力される信号を記録媒体に記録する第二の記録手段とを備えたものであり、第二の記録手段が第一の記録手段と同一の信号を記録するときは、コンポーネント入力切換手段と、コンポジット入力切換手段は第一のコンポーネントビデオ信号入力端子に入力された信号と第一のコンポジットビデオ信号入力端子に入力された信号をそれぞれ選択し出力する、入力切換制御手段は切換手段を制御して第一の信号種類切換制御手段の出力信号を第二の信号種類切換手段に入力することで、第一の記録手段と第二の記録手段に同一のビデオ信号を入力する様に作用する。
【００１６】
以下、本発明の実施の形態について、図１を用いて説明する。
（実施の形態１）
図１は、本発明の実施の形態１における映像信号記録装置の要部ブロック図である。
図１において１〜７、１０、１１、１３は従来の映像信号記録装置と同一の構成要素である。８は第一のコンポーネントビデオ信号入力端子１に入力された信号と第二のコンポーネントビデオ信号入力端子６に入力された信号のいずれかを選択して出力するコンポーネント入力切換回路、９は第一のコンポジットビデオ信号入力端子２に入力された信号と第二のコンポジットビデオ信号入力端子７に入力された信号のいずれかを選択して出力するコンポジット入力切換回路、１２は第二のビデオ信号記録回路１１の記録する信号が第一のコンポーネントビデオ信号及び第一のコンポジット信号入力端子（１，２）に入力された信号か又は第二のコンポーネントビデオ信号及び第二のコンポジット信号入力端子（６，７）に入力された信号かを選択する入力切換制御回路、１４は入力切換制御回路１２により制御される切換器である。
【００１７】
第一のビデオ信号記録回路４で記録される信号と同一のビデオ信号を第二のビデオ信号記録回路１１で記録するときは、第一の信号種類切換制御回路５を操作して第一のビデオ信号記録回路４と第二のビデオ信号記録回路１１が記録する信号を、第一のコンポーネントビデオ信号入力端子１に入力されている信号又は第一のコンポジットビデオ信号入力端子２に入力されている信号のいずれかを選択する。さらに入力切換制御回路１２を操作してコンポーネント入力切換回路８とコンポジット入力切換回路９がそれぞれ第一のコンポーネントビデオ信号入力端子１に入力されている信号と第一のコンポジットビデオ信号入力端子２に入力されている信号を選択し出力する。
【００１８】
さらに入力切換制御回路１２は切換器１４を制御して第一の信号種類切換制御回路５から出力される制御信号を第二の信号種類切換回路１０に入力することで第一のビデオ信号記録回路４と第二のビデオ信号記録回路１１には同一の信号が入力され記録媒体に記録される。又、第二のビデオ信号記録回路１１で第二のコンポーネントビデオ信号入力端子６又は第二のコンポジットビデオ信号入力端子７に入力されたビデオ信号を記録するときは、入力切換制御回路１２を操作してコンポーネント入力切換回路８とコンポジット入力切換回路９がそれぞれ第二のコンポーネントビデオ信号入力端子６に入力されている信号と第二のコンポジットビデオ信号入力端子７に入力されている信号を選択し出力する。
【００１９】
さらに入力切換制御回路１２は切換器１４を制御して第二の信号種類切換制御回路１３から出力される制御信号を第二の信号種類切換回路１０に入力する。そして、第二のコンポーネントビデオ信号入力端子６又は第二のコンポジットビデオ信号入力端子７に入力されたビデオ信号が、第二のビデオ信号記録回路１１で記録される。
【００２０】
以上のように、本実施の形態によれば、従来に比べ、第一のビデオ信号記録回路４と第二のビデオ信号記録回路１１でそれぞれ別のビデオ信号を記録することも可能であり、さらに、第一のビデオ信号記録回路４と第二のビデオ信号記録回路１１で同一のビデオ信号を記録する場合は、外部にビデオ信号分配器等の装置が必要なく、しかも、第二の信号種類切換制御回路１３を操作することなく、第一のビデオ信号記録回路４と第二のビデオ信号記録回路１１で同一の信号を記録できるという効果がある。
【００２１】
なお、以上の説明では、第一のコンポーネントビデオ信号入力端子１と第一のコンポジットビデオ信号入力端子２に入力された信号のいずれかを、第一のビデオ信号記録回路４と第二のビデオ信号記録回路１１で記録するようにしているが、第二のコンポーネントビデオ信号入力端子６と第二のコンポジットビデオ信号入力端子７に入力された信号のいずれかを第一のビデオ信号記録回路４と第二のビデオ信号記録回路１１で記録することも同様に可能である。
【００２２】
また、入力端子を除く構成手段の全て又は一部は、ソフトウエア処理が可能であるが、上記で説明したハードウエア（〜回路又は〜器）と同様の機能を有する。
また、本実施の形態１に関しては、映像信号記録装置での記述であったものの、記録再生機能を有する映像信号記録再生装置にも同様に適応可能である。
【００２３】
【発明の効果】
以上のように本発明によれば、外部に分配機等の装置が必要なく、簡単な操作で間違いなくバックアップ記録ができるという有利な効果が得られる。
【図面の簡単な説明】
【図１】本発明の実施の形態１による映像信号記録装置の要部を示すブロック図
【図２】従来の映像信号記録装置の要部を示すブロック図
【符号の説明】
１  第一のコンポーネントビデオ信号入力端子
２  第一のコンポジットビデオ信号入力端子
３  第一の信号種類切換回路
４  第一のビデオ信号記録回路
５  第一の信号種類切換制御回路
６  第二のコンポーネントビデオ信号入力端子
７  第二のコンポジットビデオ信号入力端子
８  コンポーネント入力切換回路
９  コンポジット入力切換回路
１０  第二の信号種類切換制御回路
１１  第一のビデオ信号記録回路
１２  入力切換制御回路
１３  第二の信号種類切換制御回路
１４  切換器
【図１】
0003684768.tif 000002
【図２】
0003684768.tif 000003